(57)【要約】【課題】違法コピーを防止できる情報記録媒体を提供する。【解決手段】セクタアドレスとセクタデータとがセクタ単位で複数のセクタに亘ってユーザー・データ領域１ｃに記録され、且つ、複数のセクタはセクタアドレスが順次増加傾向にある中で一部重複して付与される際、Ｎ度目（但し、Ｎは自然数）に出現した重複セクタアドレス部位に続けて出現するＮ＋１度目の重複セクタアドレス部位は、Ｎ度目の重複セクタアドレス部位のうちでアドレス値が大きい最終のセクタアドレスｎと、このセクタアドレスｎよりも一つ大きいセクタアドレスｎ＋１との間に配置され、且つ、Ｎ度目の重複セクタアドレス部位中の前記セクタアドレスが少なくとも２つ以上連番で付与され、更に、Ｎ＋１度目の重複セクタアドレス部位に対応したセクタデータがＮ度目の重複セクタアドレス部位に対して異なって記録されたことを特徴とする情報記録媒体１を提供する。【選択図】      図５
2005129230.tif 000002
【特許請求の範囲】
【請求項１】
セクタアドレスとセクタデータとがセクタ単位で複数のセクタに亘ってユーザー・データ領域に記録され、且つ、前記複数のセクタは前記セクタアドレスが順次増加傾向にある中で一部重複して付与された情報記録媒体において、
Ｎ度目（但し、Ｎは自然数）に出現した重複セクタアドレス部位に続けて出現するＮ＋１度目の重複セクタアドレス部位は、前記Ｎ度目の重複セクタアドレス部位のうちでアドレス値が大きい最終のセクタアドレスｎと、このセクタアドレスｎよりも一つ大きいセクタアドレスｎ＋１との間に配置され、且つ、前記Ｎ度目の重複セクタアドレス部位中の前記セクタアドレスが少なくとも２つ以上連番で付与され、更に、前記Ｎ＋１度目の重複セクタアドレス部位に対応した前記セクタデータが前記Ｎ度目の重複セクタアドレス部位に対して異なって記録されたことを特徴とする情報記録媒体。
【請求項２】
セクタアドレスとセクタデータとがセクタ単位で複数のセクタに亘ってユーザー・データ領域に記録され、且つ、前記複数のセクタは前記セクタアドレスが順次増加傾向にある中で一部重複して付与された情報記録媒体において、
Ｎ度目（但し、Ｎは自然数）に出現した重複セクタアドレス部位に続けて出現するＮ＋１度目の重複セクタアドレス部位は、前記Ｎ度目の重複セクタアドレス部位のうちでアドレス値が大きい最終のセクタアドレスｎと、このセクタアドレスｎよりも一つ大きいセクタアドレスｎ＋１との間に配置され、且つ、前記Ｎ度目の重複セクタアドレス部位中の前記セクタアドレスが少なくとも２つ以上連番で付与され、更に、前記Ｎ＋１度目の重複セクタアドレス部位に対応した前記セクタデータが前記Ｎ度目の重複セクタアドレス部位に対して異なって記録され、且つ、前記Ｎ＋１度目の重複セクタアドレス部位に対応した前記セクタデータ中にエラー訂正不能データを含ませたことを特徴とする情報記録媒体。
【請求項３】
セクタアドレスとセクタデータとがセクタ単位で複数のセクタに亘ってユーザー・データ領域に記録され、且つ、前記複数のセクタは前記セクタアドレスが順次増加傾向にある中で一部重複して付与されており、Ｎ度目（但し、Ｎは自然数）に出現した重複セクタアドレス部位に続けて出現するＮ＋１度目の重複セクタアドレス部位は、前記Ｎ度目の重複セクタアドレス部位のうちでアドレス値が大きい最終のセクタアドレスｎと、このセクタアドレスｎよりも一つ大きいセクタアドレスｎ＋１との間に配置され、且つ、前記Ｎ度目の重複セクタアドレス部位中の前記セクタアドレスが少なくとも２つ以上連番で付与され、更に、前記Ｎ＋１度目の重複セクタアドレス部位に対応した前記セクタデータが前記Ｎ度目の重複セクタアドレス部位に対して異なって記録された情報記録媒体であって、
前記Ｎ度目の重複セクタアドレス部位と前記Ｎ＋１度目の重複セクタアドレス部位との間で少なくとも１組の同じセクタアドレスと対応した１組のセクタデータ同士が互いに異なるか否かで真贋を判定するステップを有する真贋判定プログラムを前記ユーザー・データ領域とは異なる領域に予め記録したことを特徴とする情報記録媒体。
【請求項４】
セクタアドレスとセクタデータとがセクタ単位で複数のセクタに亘ってユーザー・データ領域に記録され、且つ、前記複数のセクタは前記セクタアドレスが順次増加傾向にある中で一部重複して付与されており、Ｎ度目（但し、Ｎは自然数）に出現した重複セクタアドレス部位に続けて出現するＮ＋１度目の重複セクタアドレス部位は、前記Ｎ度目の重複セクタアドレス部位のうちでアドレス値が大きい最終のセクタアドレスｎと、このセクタアドレスｎよりも一つ大きいセクタアドレスｎ＋１との間に配置され、且つ、前記Ｎ度目の重複セクタアドレス部位中の前記セクタアドレスが少なくとも２つ以上連番で付与され、更に、前記Ｎ＋１度目の重複セクタアドレス部位に対応した前記セクタデータが前記Ｎ度目の重複セクタアドレス部位に対して異なって記録された情報記録媒体の真贋を判定する情報記録媒体の真贋判定方法であって、
前記Ｎ度目の重複セクタアドレス部位と前記Ｎ＋１度目の重複セクタアドレス部位との間で少なくとも１組の同じセクタアドレスと対応した１組のセクタデータ同士が互いに異なるか否かで真贋を判定することを特徴とする情報記録媒体の真贋判定方法。
【請求項５】
セクタアドレスとセクタデータとがセクタ単位で複数のセクタに亘ってユーザー・データ領域に記録され、且つ、前記複数のセクタは前記セクタアドレスが順次増加傾向にある中で一部重複して付与されており、Ｎ度目（但し、Ｎは自然数）に出現した重複セクタアドレス部位に続けて出現するＮ＋１度目の重複セクタアドレス部位は、前記Ｎ度目の重複セクタアドレス部位のうちでアドレス値が大きい最終のセクタアドレスｎと、このセクタアドレスｎよりも一つ大きいセクタアドレスｎ＋１との間に配置され、且つ、前記Ｎ度目の重複セクタアドレス部位中の前記セクタアドレスが少なくとも２つ以上連番で付与され、更に、前記Ｎ＋１度目の重複セクタアドレス部位に対応した前記セクタデータが前記Ｎ度目の重複セクタアドレス部位に対して異なって記録された情報記録媒体の真贋を判定する情報記録媒体の真贋判定プログラムであって、
前記Ｎ度目の重複セクタアドレス部位と前記Ｎ＋１度目の重複セクタアドレス部位との間で少なくとも１組の同じセクタアドレスと対応した１組のセクタデータ同士が互いに異なるか否かで真贋を判定するステップを格納したことを特徴とする情報記録媒体の真贋判定プログラム。
【発明の詳細な説明】
【技術分野】
【０００１】
本発明は、違法コピーを防止できる情報記録媒体、情報記録媒体の真贋判定方法、情報記録媒体の真贋判定プログラムに関するものである。
【背景技術】
【０００２】
コンピュータソフト配布用の情報記録媒体として、大量生産に適し且つ安価な再生専用型のＣＤ−ＲＯＭ（Ｃｏｍｐａｃｔ  Ｄｉｓｃ−Ｒｅａｄ  Ｏｎｌｙ  Ｍｅｍｏｒｙ）が多用されている。この種の再生専用型のＣＤ−ＲＯＭは、音楽情報を収納した周知の再生専用型のＣＤ（Ｃｏｍｐａｃｔ  Ｄｉｓｃ）と同様に、射出成型機などにより透明な樹脂材を用いて外径１２０ｍｍ，中心孔の孔径１５ｍｍ，基板厚み１．２ｍｍである円盤状の透明なディスク基板を形成する際に、記録すべき情報信号を透明なディスク基板上で凹凸状のピット列に変換して、このピット列を螺旋状の記録トラックとして刻んで信号面を形成し、更に、この信号面上に反射膜，保護膜を順に成膜して形成されている。
【０００３】
そして、パソコン内に取り付けたＣＤ−ＲＯＭドライブを用いて従来のＣＤ−ＲＯＭを再生する時には、ドライブ内に移動自在に設けた光ピックアップからの再生用のレーザービームを透明なディスク基板側から信号面上に照射して、信号面上に成膜した反射膜からのレーザービームの戻り光で信号面を再生している。
【０００４】
図１は再生専用型のＣＤ−ＲＯＭにおいて、代表的なフォーマットであるＭｏｄｅ１を適用した場合のセクタ構造を模式的に示した図、
図２は従来のＣＤ−ＲＯＭに記録した情報信号のセクタ配列を説明するための図であり、（ａ）はセクタ配列に沿って各セクタを読み取る順序を示し、（ｂ）は各セクタのセクタアドレスとセクタデータとを対応して示した図、
図３は一般的なＣＤ−ＲＯＭドライブを説明するための構成図である。
【０００５】
ここで、一般的に、再生専用型のＣＤ−ＲＯＭに記録した情報信号は、セクタ単位で複数のセクタに亘ってディスク基板上の信号面に記録されており、図１に示したように、例えば、代表的なフォーマットであるＭｏｄｅ１を適用した場合には、一つのセクタが２，３５２Ｂのデータ容量で記録されている。
【０００６】
より具体的に説明すると、図１に示した如く、一つのセクタは、先頭からＳＹＮＣ，ＨＥＡＤＥＲ，ＤＡＴＡ，ＥＤＣ／ＥＣＣの順序の４領域で構成されている。
【０００７】
上記したＳＹＮＣ領域（１２Ｂ）は、セクタの先頭を示す領域で特定のデータ列が記録されている。
【０００８】
また、上記したＨＥＡＤＥＲ領域は、ＡＤＤＲＥＳＳ領域（３Ｂ）とＭＯＤＥ領域（１Ｂ）とからなる。この際、前者のＡＤＤＲＥＳＳ領域は、ディスク基板の内周の記録領域の始端を基点とし、単純増加するセクタアドレスを記録する領域で、その表示方法はＡＤＤＲＥＳＳ値を３値（Ｍｉｎ…分：Ｓｅｃ…秒：Ｂｌｏｃｋ…ブロック番号）で示している。一方、後者のＭＯＤＥ領域は、ＣＤ−ＲＯＭのフォーマット分類、例えばｍｏｄｅ１の場合には“０１”、ｍｏｄｅ２の場合の場合には“０２”のように記録されている。
【０００９】
また、上記したＤＡＴＡ領域（２，０４８Ｂ）は、ユーザー用の映像信号とか、音声信号とか、コンピータデータ信号などの情報信号（ソフト）を記録する領域である。
【００１０】
また、上記したＥＤＣ（Ｅｒｒｏｒ  Ｄｅｔｅｃｔｉｏｎ  Ｃｏｄｅ）／ＥＣＣ（Ｅｒｒｏｒ  Ｃｏｒｒｅｃｔｉｏｎ  Ｃｏｄｅ）領域（２８８Ｂ）は、セクタ単位に完結する記録データのエラー検出と、エラー訂正符号とを記録する領域である。
【００１１】
更に、従来のＣＤ−ＲＯＭにおいて、上記した構造のセクタをディスク基板上で螺旋状の記録トラックに沿って複数記録する場合には、図２（ａ）に示したように、セクタアドレスがディスク基板の内周のデータ開始点を基準に、外周に向かって単純に増加するように記録されており、例えば領域Ｗ部ではセクタアドレスがｎ−５，ｎ−４，ｎ−３，………，ｎ，ｎ＋１，ｎ＋２，………，ｎ１＋５の順番で付与されている。
【００１２】
上記に伴って、各セクタにはセクタデータが記録されており、図２（ｂ）に示したように、例えば、セクタアドレス  ｎ−５，ｎ−４，ｎ−３，………，ｎ，ｎ＋１，ｎ＋２，………，ｎ１＋５に対応して、セクタデータがＷ−５，Ｗ−４，Ｗ−３，………，Ｗ，Ｗ＋１，Ｗ＋２，………，Ｗ＋５の内容で記録されている。
【００１３】
ここで、パソコン内に取り付けた一般的なＣＤ−ＲＯＭドライブについて図３を用いて簡略に説明する。
【００１４】
図３に示した一般的なＣＤ−ＲＯＭドライブ１０は、コントローラ１１によってドライブ全体を制御されている。また、スピンドルモータ駆動回路１２によって回転駆動するスピンドルモータ１３の軸にターンテーブル１４が固着されており、このターンテーブル１４上にＣＤ−ＲＯＭがターンテーブル１４と一体に回転可能に装着されている。
【００１５】
また、ＣＤ−ＲＯＭの下面側には光ピックアップ１５がピックアップ支持台１６上に取り付けられた状態でＣＤ−ＲＯＭの径方向に移動自在に設けられている。
【００１６】
上記した光ピックアップ１５は、レーザー光を出射する半導体レーザー１５ａと、半導体レーザー１５ａから出射したレーザー光を不図示のコリメータレンズ，ビームスプリッタなどを経た後に絞り込んだレーザービームをＣＤ−ＲＯＭの信号面に照射する対物レンズ１５ｂと、対物レンズ１５ｂをフォーカス制御するフォーカスコイル１５ｃと、対物レンズ１５ｂをトラッキング制御するトラッキングコイル１５ｄと、ＣＤ−ＲＯＭの信号面で反射されたレーザービームの戻り光を検出する４分割型ホトセンサ１５ｅとが内部に設けられている。
【００１７】
そして、光ピックアップ１５内の４分割型ホトセンサ１５ｅで検出された戻り光を情報信号処理回路１７に入力して、この情報信号処理回路１７内でフォーカスエラー信号，トラッキングエラー信号，セクタアドレス信号，セクタデータ信号を検出処理し、各信号をコントローラ１１に送っている。
【００１８】
また、コントローラ１１はパソコンからの指令により再生動作を開始すると、フォーカスエラー信号に基づいてフォーカスサーボ回路１８で生成したフォーカス制御信号を光ピックアップ１５内のフォーカスコイル１５ｃに印加して対物レンズ１５ｂをフォーカス制御しながら光ピックアップ粗動回路２０でピックアップ支持台１６上の光ピックアップ１５を目的のセクタアドレス位置に近付くように粗動させ、目的のセクタアドレス位置近傍に至ったらトラッキングエラー信号に基づいてトラッキングサーボ回路１９で生成したトラッキング制御信号を光ピックアップ１５内のトラッキングコイル１５ｄに印加して対物レンズ１５ｂを目的のセクタアドレスの位置にトラッキング制御している。更に、コントローラ１１は、セクタデータ信号をインターフェース回路２１を介してパソコン又はＣＤ−Ｒドライブなどの外部機器に出力している。
【００１９】
そして、従来のＣＤ−ＲＯＭを上記した一般的なＣＤ−ＲＯＭドライブ１０内で再生する場合に、パソコンからＭＭＣ命令（マルチ・メディア・コマンド）の“ＲＥＡＤ（１０）”、“Ｒｅａｄ  ＣＤ”を送出している。ここで、通常、ＣＤ−ＲＯＭドライブ１０内に移動自在に設けた光ピックアップ１５は、目的とするセクタアドレスよりディスク内周側の５〜１０セクタ程度手前のセクタアドレスを狙ってサーチし、そこから目的のセクタアドレスのセクタデータが出てくるまで、データの連続読取りを行い、目的のセクタデータを得ている。
【００２０】
つまり、ＣＤ−ＲＯＭに記録した各セクタのセクタデータを読み取る時には、ディスク基板の内周側に光ピックアップ１５を移動させて、図２（ａ）に示したデータ読取り順序（１）に従ってディスク内周側のセクタアドレスが小さい方からディスク外周側に向かってセクタアドレスが順次大きくなる方向（矢印方向）に読み取る方法が一般的に行われている。
【００２１】
ところが昨今、このＣＤ−ＲＯＭと外観形状が略同じであり、且つ、ＣＤ−ＲＯＭに記録されている情報信号（ソフト）と同一のＣＤ記録フォーマットで、ユーザーが１回だけ情報信号を記録できる追記型のＣＤ−Ｒ（Ｃｏｍｐａｃｔ  Ｄｉｓｃ−Ｒｅｃｏｒｄａｂｌｅ）が安価に入手可能になっている。
【００２２】
上記した追記型のＣＤ−Ｒは、射出成型機などにより透明な樹脂材を用いて外径１２０ｍｍ，中心孔の孔径１５ｍｍ，基板厚み１．２ｍｍである円盤状の透明なディスク基板を形成する際に、透明なディスク基板上に凹状の溝を螺旋状に形成し、この凹状の溝側に記録層となる有機色素をスピンコートし、更に、この有機色素上に反射膜，保護膜を順に成膜して形成されている。
【００２３】
この追記型のＣＤ−Ｒは、記録再生可能な光ディスクドライブ（以下、ＣＤ−Ｒドライブと記す）を用いて、ドライブ内に移動自在に設けた光ピックアップからの記録用のレーザービームを透明なディスク基板側から記録層上に照射して情報信号を記録することができ、更に、情報信号を書き込んだ後にはＣＤ−ＲＯＭと同じようにＣＤ−ＲＯＭドライブ１０でも取り扱うことができる。
【００２４】
この場合、ユーザーは、パソコン内のハードディスクに記憶させたコピー用ソフトに従ってコピーしたいソフトを収納したＣＤ−ＲＯＭをＣＤ−ＲＯＭドライブ１０で再生し、このＣＤ−ＲＯＭドライブ１０から出力され且つＣＤ−Ｒに記録したい情報（記録情報）をＣＤ−Ｒドライブに入力して、この記録情報を著作権者の許諾を得ずにそのままＣＤ−Ｒに違法コピーすることが可能となっている。
【００２５】
この際、パソコン内のハードディスクに記憶させたコピー用ソフトは、一般的に、ＣＤ−ＲＯＭに記録した情報信号をセクタアドレス順に読むセクタコピー方式と、ＣＤ−ＲＯＭに記録した情報信号をファイル単位で読むファイルコピー方式の２種類が用いられており、例えば、前者のセクタコピー方式を適用したコピー用ソフトを用いた場合に、前述したように、ＣＤ−ＲＯＭドライブ１０から出力される記録したい情報（記録情報）はセクタアドレス順に出力されているので、ＣＤ−ＲにはＣＤ−ＲＯＭの記録状態と同じ状態に記録できてしまうから違法コピーが可能であり、これに伴ってＣＤ−ＲＯＭのソフトをＣＤ−Ｒに違法コピーして使用する被害が多発している。
【００２６】
また、後者のファイルコピー方式を適用したコピー用ソフトを用いた場合には、後述するように違法コピー防止技術の第２の方法によっても完全に違法コピーを防止できないのものであるので、ここでの詳述を省略する。
【００２７】
この際、ＣＤ−ＲＯＭの記録フォーマットには、サブコードＱチャンネルデータでコピー禁止するフラグが定義してあるものの、コピー禁止フラグを無視してソフトの違法コピーが行われているのが現状である。
【００２８】
そこで、上記したようなＣＤ−ＲＯＭの違法コピー防止技術としては、下記する［第１の方法］〜［第３の方法］がある。
【００２９】
［第１の方法］
第１の方法は、いわゆるゲーム用ディスクに採用されている違法コピー防止方法である。ゲーム用ＣＤ−ＲＯＭは専用ゲーム機でしか再生しないという特性をいかし、通常のＣＤ−ＲＯＭには記録しない特殊セキュリティ信号をゲーム用ＣＤ−ＲＯＭのディスク原盤を製作する過程で、ゲーム用ＣＤ−ＲＯＭの記録信号に重畳記録する。専用ゲーム機はゲーム用ＣＤ−ＲＯＭから上記した特殊セキュリティ信号が検出できれば、このディスクを真正なゲーム用ＣＤ−ＲＯＭとして判定して、ゲーム用ＣＤ−ＲＯＭの読み出しを開始する。
【００３０】
この第１の方法によれば、ゲーム用ＣＤ−ＲＯＭのソフトを専用ゲーム機で再生して得た記録したい情報（記録情報）を、一般的に使用されるＣＤ−Ｒドライブに入力して、ゲーム用ＣＤ−ＲＯＭのソフトをＣＤ−Ｒにコピーしても、このＣＤ−Ｒドライブには特殊セキュリティ信号を検出及び記録する機能がないために、ゲーム用ＣＤ−ＲＯＭをＣＤ−Ｒに違法コピーしたとしても、このＣＤ−Ｒには特殊セキュリティ信号が記録されず、ゲーム用ディスクとして再生できない。
【００３１】
［第２の方法］
第２の方法は、コンピュータソフト用ＣＤ−ＲＯＭに採用されている違法コピー防止方法である。このコンピュータソフト用ＣＤ−ＲＯＭに記録されているコンピュータソフトをファイル単位でＣＤ−Ｒに違法コピーする場合に効果的である。
【００３２】
具体的には、コンピュータソフト用ＣＤ−ＲＯＭから読み出したファイルをパソコン内のハードディスクに所定のファイル形式で一旦記録した後、このハードディスクから読み出したファイルをＣＤ−Ｒに記録することを防止するために、コンピュータソフト用ＣＤ−ＲＯＭに複数記録してあるユーザ記録ファイルのうち、任意の２ファイル間に通常のファイルサーチでは検出できない特殊セクタを介挿する方法をとっている。コンピュータソフト用ＣＤ−ＲＯＭの真贋の判定は、この特殊セクタの有無を使用する。
【００３３】
換言すれば、第２の方法は、前記したコンピュータソフト用ＣＤ−ＲＯＭの物理構造はコピーできないことに着目してなされたものである。即ち、元々、コンピュータソフト用ＣＤ−ＲＯＭにはディスクの物理構造を規定する物理セクタで管理されるレベルと、この物理セクタ上のファイル構造を規定する論理構造のレベルとの２層で構成されている。そして、こうした２層構造のコンピュータソフト用ＣＤ−ＲＯＭから読み出したデータを前記したハードディスクにファイル単位で記録すると、このコンピュータソフト用ＣＤ−ＲＯＭの論理構造のみのデータが継承（記録）されるが、このコンピュータソフト用ＣＤ−ＲＯＭの物理構造は全く記録されない。つまり、ディスク記録に必要な物理セクタ構造に関する、例えばセクタアドレス，セクタＩＤ，エラー訂正情報は、ハードディスク側にはコピーされないのである。
【００３４】
一旦、ハードディスク側に記録された論理構造ファイルをＣＤ−Ｒドライブを介してＣＤ−Ｒにコピーする際には、前記した特殊セクタがＣＤ−Ｒ側にコピーされないから、ディスクの真贋の判定は、この特殊セクタの有無を使うのである（例えば特開平４−１１９５６１号公報）。
【００３５】
［第３の方法］
第３の方法は、ＣＤ−ＲＯＭを構成するＥＦＭフレームのユーザデータ（２４バイト）の一つ（１バイト）を論理的、または物理的に破壊し、このＣＤ−ＲＯＭの再生において発生するエラー信号をディスクのセキュリティ信号とし、真贋判定に使用するものである（例えば、特開平７−２３５１３０号公報）。
【発明の開示】
【発明が解決しようとする課題】
【００３６】
ところで、前記した第１の方法によるゲーム用ＣＤ−ＲＯＭは、違法コピー防止対策用ディスクとしては理想的な手段である。しかし、この方法は再生機として、ゲーム用ＣＤ−ＲＯＭに記録したコピー防止用の特殊セキュリティ信号を検出する専用ゲーム機であることが必要であり、この機能を持たないパソコンに取り付けた一般的なＣＤ−ＲＯＭドライブ１０には、適用できない方法である。
【００３７】
また前記した第２の方法によるコンピュータソフト用ＣＤ−ＲＯＭは、パソコン内のハードディスクにファイル形式でコピーし、この後にハードディスクからＣＤ−Ｒに記録する手法の時のみ有力な手段である。しかしながら、コンピュータソフト用ＣＤ−ＲＯＭの物理セクタ構造をその先頭から順番にＣＤ−Ｒにコピーするセクタコピー方式で容易に破られるから、現状では有効な方法とは言えない。
【００３８】
更に、前記した第３の方法によるＣＤ−ＲＯＭは、特定な箇所を論理的、または物理的に破壊し、その箇所の読取りエラー信号を真贋の判定情報として使用する手法である。しかし、破壊の方法はＥＦＭフレームの１バイトを読取り不能にし、通常の読取りではエラー訂正されて読取り可能なデータになるが、第３の方法では読取りエラー信号が得られるとしている。しかし、具体的にＥＦＭフレームの１バイトを読取り不能にすると、読取りエラー信号がＣＤ−ＲＯＭドライブ１０からどのような信号になるかを開示されていない。
【００３９】
前記した第３の方法を実際のＣＤ−ＲＯＭを例にとって、違法コピー防止について検討すると、ＣＤ−ＲＯＭと略同じ形状で音楽情報など収納した周知のＣＤ（Ｃｏｍｐａｃｔ  Ｄｉｓｃ）のエラー訂正Ｃ１、Ｃ２系列ではイレージャ方式で最大４シンボル訂正ができ、それは１４フレーム長の２．３８ｍｍのバーストエラーが訂正できることになる。また、訂正機能を強めたＣＤ−ＲＯＭのＣ３系列の訂正では、ＣＤのＣＩＲＣ（Ｃｒｏｓｓ  Ｉｎｔｅｒｌｅａｖｅｄ  Ｒｅｅｄ−Ｓｏｌｏｍｏｎ  Ｃｏｄｅ）が訂正不能となるＣ２エラーをフラグにすることで、最大２６〜２８フレーム長の４．４２〜４．７６ｍｍのバーストエラーが訂正できる。
【００４０】
このような、バーストエラー訂正機能をもつＣＤ−ＲＯＭに、前記第３の方法によるＥＦＭフレームの１バイト程度のエラー、即ち、物理的長さで５μｍ程度の局部的な破壊を試みても、通常はエラー訂正され、エラー発生信号を得ることは困難である。
【００４１】
一方、ＣＤのディフェクト、エラーレートおよびバーストエラー長の各値は規格で規定されている。即ち、ディフェクトサイズは１００μｍ以下、１０秒間のエラーレート（Ｃ１）は３％以下、バーストエラー長は７フレームの１．２ｍｍ未満が必要である。このようなエラー訂正機能を持つ規格を満して、読取りエラー信号を発生する具体的方法を第３の方法では開示されておらず、実際のＣＤ−ＲＯＭに応用できるかは疑問である。また、この第３の方法も第２の方法と同様に、セクタ単位のコピーをすることで、読取りエラーセクタを同様なセクタとすることは可能である。
【００４２】
そこで、ＣＤ−ＲＯＭで、トラッキング等の正常再生ができ、しかも先述のセクタコピー方式ではコピーできない情報記録媒体（ＣＤ−ＲＯＭ）が切望されている。
【課題を解決するための手段】
【００４３】
本発明は上記課題に鑑みてなされたものであり、請求項１記載の発明は、セクタアドレスとセクタデータとがセクタ単位で複数のセクタに亘ってユーザー・データ領域に記録され、且つ、前記複数のセクタは前記セクタアドレスが順次増加傾向にある中で一部重複して付与された情報記録媒体において、
Ｎ度目（但し、Ｎは自然数）に出現した重複セクタアドレス部位に続けて出現するＮ＋１度目の重複セクタアドレス部位は、前記Ｎ度目の重複セクタアドレス部位のうちでアドレス値が大きい最終のセクタアドレスｎと、このセクタアドレスｎよりも一つ大きいセクタアドレスｎ＋１との間に配置され、且つ、前記Ｎ度目の重複セクタアドレス部位中の前記セクタアドレスが少なくとも２つ以上連番で付与され、更に、前記Ｎ＋１度目の重複セクタアドレス部位に対応した前記セクタデータが前記Ｎ度目の重複セクタアドレス部位に対して異なって記録されたことを特徴とする情報記録媒体である。
【００４４】
また、請求項２記載の発明は、セクタアドレスとセクタデータとがセクタ単位で複数のセクタに亘ってユーザー・データ領域に記録され、且つ、前記複数のセクタは前記セクタアドレスが順次増加傾向にある中で一部重複して付与された情報記録媒体において、
Ｎ度目（但し、Ｎは自然数）に出現した重複セクタアドレス部位に続けて出現するＮ＋１度目の重複セクタアドレス部位は、前記Ｎ度目の重複セクタアドレス部位のうちでアドレス値が大きい最終のセクタアドレスｎと、このセクタアドレスｎよりも一つ大きいセクタアドレスｎ＋１との間に配置され、且つ、前記Ｎ度目の重複セクタアドレス部位中の前記セクタアドレスが少なくとも２つ以上連番で付与され、更に、前記Ｎ＋１度目の重複セクタアドレス部位に対応した前記セクタデータが前記Ｎ度目の重複セクタアドレス部位に対して異なって記録され、且つ、前記Ｎ＋１度目の重複セクタアドレス部位に対応した前記セクタデータ中にエラー訂正不能データを含ませたことを特徴とする情報記録媒体である。
【００４５】
また、請求項３記載の発明は、セクタアドレスとセクタデータとがセクタ単位で複数のセクタに亘ってユーザー・データ領域に記録され、且つ、前記複数のセクタは前記セクタアドレスが順次増加傾向にある中で一部重複して付与されており、Ｎ度目（但し、Ｎは自然数）に出現した重複セクタアドレス部位に続けて出現するＮ＋１度目の重複セクタアドレス部位は、前記Ｎ度目の重複セクタアドレス部位のうちでアドレス値が大きい最終のセクタアドレスｎと、このセクタアドレスｎよりも一つ大きいセクタアドレスｎ＋１との間に配置され、且つ、前記Ｎ度目の重複セクタアドレス部位中の前記セクタアドレスが少なくとも２つ以上連番で付与され、更に、前記Ｎ＋１度目の重複セクタアドレス部位に対応した前記セクタデータが前記Ｎ度目の重複セクタアドレス部位に対して異なって記録された情報記録媒体であって、
前記Ｎ度目の重複セクタアドレス部位と前記Ｎ＋１度目の重複セクタアドレス部位との間で少なくとも１組の同じセクタアドレスと対応した１組のセクタデータ同士が互いに異なるか否かで真贋を判定するステップを有する真贋判定プログラムを前記ユーザー・データ領域とは異なる領域に予め記録したことを特徴とする情報記録媒体である。
【００４６】
また、請求項４記載の発明は、セクタアドレスとセクタデータとがセクタ単位で複数のセクタに亘ってユーザー・データ領域に記録され、且つ、前記複数のセクタは前記セクタアドレスが順次増加傾向にある中で一部重複して付与されており、Ｎ度目（但し、Ｎは自然数）に出現した重複セクタアドレス部位に続けて出現するＮ＋１度目の重複セクタアドレス部位は、前記Ｎ度目の重複セクタアドレス部位のうちでアドレス値が大きい最終のセクタアドレスｎと、このセクタアドレスｎよりも一つ大きいセクタアドレスｎ＋１との間に配置され、且つ、前記Ｎ度目の重複セクタアドレス部位中の前記セクタアドレスが少なくとも２つ以上連番で付与され、更に、前記Ｎ＋１度目の重複セクタアドレス部位に対応した前記セクタデータが前記Ｎ度目の重複セクタアドレス部位に対して異なって記録された情報記録媒体の真贋を判定する情報記録媒体の真贋判定方法であって、
前記Ｎ度目の重複セクタアドレス部位と前記Ｎ＋１度目の重複セクタアドレス部位との間で少なくとも１組の同じセクタアドレスと対応した１組のセクタデータ同士が互いに異なるか否かで真贋を判定することを特徴とする情報記録媒体の真贋判定方法である。
【００４７】
更に、請求項５記載の発明は、セクタアドレスとセクタデータとがセクタ単位で複数のセクタに亘ってユーザー・データ領域に記録され、且つ、前記複数のセクタは前記セクタアドレスが順次増加傾向にある中で一部重複して付与されており、Ｎ度目（但し、Ｎは自然数）に出現した重複セクタアドレス部位に続けて出現するＮ＋１度目の重複セクタアドレス部位は、前記Ｎ度目の重複セクタアドレス部位のうちでアドレス値が大きい最終のセクタアドレスｎと、このセクタアドレスｎよりも一つ大きいセクタアドレスｎ＋１との間に配置され、且つ、前記Ｎ度目の重複セクタアドレス部位中の前記セクタアドレスが少なくとも２つ以上連番で付与され、更に、前記Ｎ＋１度目の重複セクタアドレス部位に対応した前記セクタデータが前記Ｎ度目の重複セクタアドレス部位に対して異なって記録された情報記録媒体の真贋を判定する情報記録媒体の真贋判定プログラムであって、
前記Ｎ度目の重複セクタアドレス部位と前記Ｎ＋１度目の重複セクタアドレス部位との間で少なくとも１組の同じセクタアドレスと対応した１組のセクタデータ同士が互いに異なるか否かで真贋を判定するステップを格納したことを特徴とする情報記録媒体の真贋判定プログラムである。
【発明の効果】
【００４８】
請求項１記載の情報記録媒体によれば、セクタアドレスとセクタデータとがセクタ単位で複数のセクタに亘ってユーザー・データ領域に記録され、且つ、複数のセクタはセクタアドレスが順次増加傾向にある中で一部重複して付与される際に、Ｎ度目（但し、Ｎは自然数）に出現した重複セクタアドレス部位に続けて出現するＮ＋１度目の重複セクタアドレス部位は、Ｎ度目の重複セクタアドレス部位のうちでアドレス値が大きい最終のセクタアドレスｎと、このセクタアドレスｎよりも一つ大きいセクタアドレスｎ＋１との間に配置されているので、この情報記録媒体を通常のドライブ装置で著作権者の許諾を得ずに違法コピーした場合に、通常のドライブ装置は何等の支障もなく動作するものの、違法コピーした情報記録媒体上ではＮ＋１度目の重複セクタアドレス部位と対応したセクタデータはコピーできずに欠落してしまうので、これにより違法コピーした情報記録媒体をドライブ装置で再生した時に欠落した不連続なセクタデータとなってしまうために使用でき得ず、違法コピーが無駄となるために、情報記録媒体への違法コピーを完全に防止でき、著作権侵害を未然に防止することができる。
【００４９】
請求項２記載の情報記録媒体によれば、セクタアドレスとセクタデータとがセクタ単位で複数のセクタに亘ってユーザー・データ領域に記録され、且つ、複数のセクタはセクタアドレスが順次増加傾向にある中で一部重複して付与される際に、Ｎ度目（但し、Ｎは自然数）に出現した重複セクタアドレス部位に続けて出現するＮ＋１度目の重複セクタアドレス部位は、Ｎ度目の重複セクタアドレス部位のうちでアドレス値が大きい最終のセクタアドレスｎと、このセクタアドレスｎよりも一つ大きいセクタアドレスｎ＋１との間に配置され、且つ、Ｎ度目の重複セクタアドレス部位中のセクタアドレスが少なくとも２つ以上連番で付与され、更に、Ｎ＋１度目の重複セクタアドレス部位に対応したセクタデータがＮ度目の重複セクタアドレス部位に対して異なって記録され、且つ、Ｎ＋１度目の重複セクタアドレス部位に対応したセクタデータ中にエラー訂正不能データを含ませているので、上記した請求項１記載の効果と同様な効果が得られると共に、ドライブ装置によってはセクタアドレスの値をチェックせず、開始セクタアドレスから指定したセクタ数だけを出力するものが使用された場合でも、Ｎ＋１度目の重複セクタアドレス部位と対応したセクタデータの読取りを防ぐことができる。
【００５０】
また、請求項３記載の情報記録媒体，請求項４記載の情報記録媒体の真贋判定方法，請求項５記載の情報記録媒体の真贋判定プログラムによれば、セクタアドレスとセクタデータとがセクタ単位で複数のセクタに亘ってユーザー・データ領域に記録され、且つ、複数のセクタはセクタアドレスが順次増加傾向にある中で一部重複して付与されており、Ｎ度目（但し、Ｎは自然数）に出現した重複セクタアドレス部位に続けて出現するＮ＋１度目の重複セクタアドレス部位は、Ｎ度目の重複セクタアドレス部位のうちでアドレス値が大きい最終のセクタアドレスｎと、このセクタアドレスｎよりも一つ大きいセクタアドレスｎ＋１との間に配置され、且つ、Ｎ度目の重複セクタアドレス部位中のセクタアドレスが少なくとも２つ以上連番で付与され、更に、Ｎ＋１度目の重複セクタアドレス部位に対応したセクタデータが前記Ｎ度目の重複セクタアドレス部位に対して異なって記録された際に、Ｎ度目の重複セクタアドレス部位とＮ＋１度目の重複セクタアドレス部位との間で少なくとも１組の同じセクタアドレスと対応した１組のセクタデータ同士が互いに異なるか否かで真贋を判定しているので、１組のセクタデータ同士が互いに異なる場合に本物の情報記録媒体であると判定でき、一方、１組のセクタデータ同士が互いに同じ場合にコピーした情報記録媒体であると判定できる。
【発明を実施するための最良の形態】
【００５１】
以下に本発明に係る情報記録媒体、情報記録媒体の真贋判定方法、情報記録媒体の真贋判定プログラムの一実施例を図４乃至図１３を参照して＜実施例１＞，＜実施例２＞，＜実施例１，２の応用例＞の順に詳細に説明する。
【００５２】
本発明に係る情報記録媒体は、再生専用型のＣＤ−ＲＯＭ（Ｃｏｍｐａｃｔ  Ｄｉｓｃ−Ｒｅａｄ  Ｏｎｌｙ  Ｍｅｍｏｒｙ）に適用されるものであり、且つ、情報信号（ソフト）はＣＤ−ＲＯＭで採用されているセクタ単位で複数のセクタに亘ってディスク基板上の信号面に記録されていると共に、複数のセクタのセクタアドレスの一部を重複させて付与することで、ＣＤ−ＲＯＭに記録された情報信号（ソフト）を１回だけ書き込み可能なＣＤ−Ｒ（Ｃｏｍｐａｃｔ  Ｄｉｓｃ−Ｒｅｃｏｒｄａｂｌｅ）とか、複数回書き込み可能なＣＤ−ＲＷ（Ｃｏｍｐａｃｔ  Ｄｉｓｃ−ＲｅＷｒｉｔａｂｌｅ）などに違法コピーができないように構成したものである。
【００５３】
また、本発明に係る情報記録媒体の真贋判定方法と、本発明に係る情報記録媒体の真贋判定プログラムは、セクタアドレスが一部を重複した部位の１組のセクタアドレスに対応した１組のセクタデータ同士が互い異なるか否かにより上記した本発明に係る情報記録媒体（ＣＤ−ＲＯＭ）であるか、それとも本発明に係る情報記録媒体（ＣＤ−ＲＯＭ）をコピーしたものであるかを判定するものである。
【００５４】
また、本発明に係る情報記録媒体に適用されるセクタ読取り方法と、本発明に係る情報記録媒体に適用されるセクタ読取りプログラムは、上記した本発明に係る情報記録媒体（ＣＤ−ＲＯＭ）を用いて複数のセクタを再生する際に、セクタアドレスが一部重複した部位を連続的に読み取ることなく、新たな読取りステップで重複したセクタアドレス（重複セクタアドレス）部位を確実に読み取ることができるようにしたものである。
【実施例１】
【００５５】
図４は本発明に係る実施例１の情報記録媒体（ＣＤ−ＲＯＭ）の全体構成を示した図、
図５は本発明に係る実施例１の情報記録媒体（ＣＤ−ＲＯＭ）に記録した情報信号のセクタ配列を説明するための図であり、（ａ）はセクタ配列順を示し、（ｂ）は各セクタのセクタアドレスとセクタデータとを対応して示した図である。
【００５６】
図４に示した如く、本発明に係る実施例１の情報記録媒体（以下，ＣＤ−ＲＯＭと記す）１は、円盤状に形成したディスク基板の内周から外周に向かって、リードイン領域１ａと、ＩＳＯファイル・システム領域１ｂと、アプリケーション・ソフト領域１ｃと、ユーザー・データ領域１ｄと、リードアウト領域１ｅとが螺旋状の記録トラックに沿って順に形成されている。
【００５７】
上記したリードイン領域１ａには、ユーザー・データ領域１ｄに記録されるソフトの目次や内容，収納時間などが記録されている。また、ＩＳＯファイル・システム領域１ｂには、ＩＳＯ（国際標準化機構）に準拠したファイル構造が記録されている。また、アプリケーション・ソフト領域１ｃには、本発明の要部の一部となる真贋判定プログラムとセクタ読取りプログラムとが少なくとも格納されており、これについては後述する。また、ユーザー・データ領域１ｄには、ユーザー用の映像信号とか、音声信号とか、コンピータデータ信号などの情報信号（ソフト）を記録するために、複数のセクタがセクタ単位ごとに少なくともセクタアドレスとセクタデータとを備えて記録されており、ここでの各セクタ構造は先に図１を用いて説明した構造と同じであるものの、各セクタのセクタアドレス及びセクタデータが従来のＣＤ−ＲＯＭに対して一部異なっているのでこれについては後述する。また、リードアウト領域１ｅには、記録されたソフトが最終であることを示す信号が記録されている。
【００５８】
ここで、実施例１のＣＤ−ＲＯＭ１のユーザー・データ領域１ｄに記録した情報信号（ソフト）は、前述したように複数のセクタがセクタ単位で記録されているものの、複数のセクタは、図５（ａ）に示したようにセクタアドレスが一部の部分で重複しており、且つ、図５（ｂ）に示したように重複した各セクタアドレスに対応した各セクタデータは互いに異なっている点に特徴がある。
【００５９】
より具体的に説明すると、図５（ａ）に示したように、複数のセクタは、ディスク内周より外周に向かった螺旋状の記録トラック上で、領域Ｘ部にはセクタアドレス  ｎ−５，ｎ−４，ｎ−３，ｎ−２，ｎ−１，ｎが付与され、領域Ｘ部に続く領域Ｙ部には領域Ｘ部に付与されたセクタアドレスと一部重複するセクタアドレス  ｎ−４，ｎ−３，ｎ−２，ｎ−１，ｎが付与され、更に、領域Ｙ部に続く領域Ｚ部にはセクタアドレス  ｎ＋１，ｎ＋２，ｎ＋３，ｎ＋４，ｎ＋５が付与されている。ここでは、同じセクタアドレス値を付与した重複セクタアドレス部位がディスク内周側の領域Ｘ部と領域Ｙ部とに２箇所設けられているが、これに限ることなく、同じセクタアドレス値を付与した重複セクタアドレス部位を少なくとも２箇所以上接近して設けた場合には違法コピーがよりしにくくなる。
【００６０】
また、重複するセクタアドレス部位をディスク内周側だけでなく、更に、ディスク中周側とか、ディスク外周側とかに分けて複数箇所間隔を離して設けた場合に、複数箇所の重複セクタアドレス部位はディスク内周側の重複セクタアドレス部位とは異なるセクタアドレス値を付与しておくことで、違法コピーがよりしにくくなる。
【００６１】
ここで、領域Ｘ部に付与されたセクタアドレス  ｎ−４からｎまでをＮ度目（但し、Ｎは自然数）に出現した重複セクタアドレス部位とし、領域Ｙ部に付与されたセクタアドレス  ｎ−４からｎまでをＮ＋１度目に出現した重複セクタアドレス部位とすると、上記の説明から領域Ｘ部及び領域Ｙ部をディスク内周側に設定した場合に、領域Ｘ部内では例えばＮ＝１番目の重複セクタアドレス部位が出現し、領域Ｙ部内で例えばＮ＝２番目の重複セクタアドレス部位が出現したことになる。
【００６２】
この際、Ｎ度目に出現した重複セクタアドレス部位に対してＮ＋１度目に出現した重複セクタアドレス部位は、少なくとも２つ以上連番で付与し、且つ、Ｎ度目の重複セクタアドレス部位とＮ＋１度目の重複セクタアドレス部位とが記録トラック上で互いに接近した範囲内に付与しておけば、後述するセクタ読取り時に重複したセクタアドレス部位が読取り易くなる。
【００６３】
上記に伴って、各セクタには、各セクタデータが記録されており、図５（ｂ）に示したように、例えば、領域Ｘ部のセクタアドレス  ｎ−５，ｎ−４，ｎ−３，………，ｎに対応してセクタデータがＸ−５，Ｘ−４，Ｘ−３，………，Ｘの内容で記録され、また、領域Ｙ部のセクタアドレス  ｎ−４，ｎ−３，………，ｎに対応してセクタデータがＹ−４，Ｙ−３，………，Ｙの内容で記録され、更に、領域Ｚ部のセクタアドレス  ｎ＋１，ｎ＋２，………，ｎ１＋５に対応してセクタデータがＺ＋１，Ｚ＋２，………，Ｚ＋５の内容で記録されている。この際、重複する各セクタアドレスと対応した各セクタデータはそれぞれ異なる内容であることが違法コピーを防止する上で必要条件である。
【００６４】
次に、上記したＣＤ−ＲＯＭ１に記録された情報信号（ソフト）を、ユーザーが故意にＣＤ−Ｒに違法コピーする動作について、先に従来技術で説明した図３と、この実施例で先に説明した図４と、新たな図６，図７とを用いて説明する。
【００６５】
図６は本発明に係る実施例１の情報記録媒体（ＣＤ−ＲＯＭ）を違法コピーした時の動作を説明するための図であり、（ａ）はセクタ読取り動作を示し、（ｂ）はセクタ読取りを行った時の各セクタのセクタアドレスとセクタデータとを対応して示した図、
図７は本発明に係る実施例１の情報記録媒体（ＣＤ−ＲＯＭ）を違法コピーした後のＣＤ−Ｒ上でのセクタ配列を説明するための図であり、（ａ）はセクタ配列順を示し、（ｂ）は各セクタのセクタアドレスとセクタデータとを対応して示した図である。
【００６６】
まず、ユーザーは、上記したＣＤ−ＲＯＭ１をＣＤ−Ｒにコピーするために、従来技術で説明したように、パソコン内のハードディスクに記憶させたコピー用ソフトに従ってＣＤ−ＲＯＭ１をＣＤ−ＲＯＭドライブ１０で再生し、ここで再生して得た記録したい情報（記録情報）をＣＤ−Ｒドライブに入力して、この記録情報を著作権者の許諾を得ずにそのままＣＤ−Ｒに違法コピーしたものとする。
【００６７】
ここで、従来技術で述べたように、セクタコピー方式を適用したコピー用ソフトを用いた場合に、前述したように、ＣＤ−ＲＯＭドライブ１０から出力され且つＣＤ−Ｒに記録したい情報（記録情報）は、ＣＤ−ＲＯＭ１の内周側から外周側に向かって図４に示したリードイン領域１ａ，ＩＳＯファイル・システム領域１ｂ，アプリケーション・ソフト領域１ｃ，ユーザー・データ領域１ｄ，リードアウト領域１ｅの順に出力されるものの、ユーザー・データ領域１ｄ内に記録された複数のセクタを読取る時にはセクタコピー方式を適用したコピー用ソフトに従ってセクタアドレス順に読み出される。
【００６８】
具体的には、図６（ａ），（ｂ）に示した如く、ＣＤ−ＲＯＭドライブ１０によるＣＤ−ＲＯＭ１へのセクタデータの読取りは、従来技術で説明したように、光ピックアップ１５を目標とするセクタアドレスより５〜１０セクタ手前のディスク内周側からスタートさせる。そして、領域Ｘ部内で例えば目標となるセクタアドレス  ｎ−５が見つかった時点から、データ読取り順序（２−１）に従って領域Ｘ部の各セクタアドレス  ｎ−５，ｎ−４，ｎ−３，ｎ−２，ｎ−１，ｎの順にアドレスサーチし、各セクタアドレスに対応した各セクタデータ  Ｘ−５，Ｘ−４，Ｘ−３，Ｘ−２，Ｘ−１，Ｘを連続的に読取る。
【００６９】
次に、領域Ｘ部に続く領域Ｙ部の各セクタアドレス  ｎ−４，ｎ−３，ｎ−２，ｎ−１，ｎは、領域Ｘ部と一部重複しており、セクタアドレス  ｎの次のセクタアドレス  ｎ＋１より小さいセクタアドレスしかないため、データ読取り順序（２−２）に従って次の領域Ｚ部へアドレスサーチする。よって領域Ｙ部の各セクタアドレスと対応した各セクタデータは全く出力されない。
【００７０】
次に、領域Ｚ部は先頭にセクタアドレス  ｎ＋１があり、ＣＤ−ＲＯＭドライブ１０は領域Ｘ部と同様に再び通常の動作でデータ読取り順序（２−３）に従って領域Ｚ部を読取る。
【００７１】
従って、セクタアドレス  ｎ−５からｎ＋５までのセクタデータを連続的に読取りを行って、ＣＤ−Ｒに違法コピーした時には、セクタアドレス配列が図７（ａ）示したように領域Ｘ部と領域Ｚ部との間に領域Ｙ部が介在せず、領域Ｙ部のセクタデータが欠落しているために、違法コピーしたＣＤ−ＲをＣＤ−ＲＯＭドライブ１０で再生した時にはデータ読取り順序（３）に従って再生されるので、再生したセクタデータは図７（ｂ）のように領域Ｙ部のセクタデータが欠落した不連続なセクタデータとなってしまうために使用でき得ず、これにより違法コピーが無駄となるために、実施例１のＣＤ−ＲＯＭ１はＣＤ−Ｒへの違法コピーを完全に防止でき、著作権侵害を未然に防止することができる。
【００７２】
次に、実施例１のＣＤ−ＲＯＭ１を一般的なＣＤ−ＲＯＭドライブ１０を用いて正規に再生する動作について、先に説明した図３〜図５と、新たな図８〜図１０とを併用して説明する。
【００７３】
図８は本発明に係る実施例１の情報記録媒体（ＣＤ−ＲＯＭ）の真贋判定プログラムの動作を示したフロー図、
図９は本発明に係る実施例１の情報記録媒体（ＣＤ−ＲＯＭ）のセクタ読取りプログラムの動作を示したフロー図、
図１０は本発明に係る実施例１の情報記録媒体（ＣＤ−ＲＯＭ）を正規に再生した時の動作を説明するための図であり、（ａ）はセクタ読取り動作を示し、（ｂ）はセクタ読取りを行った時の各セクタのセクタアドレスとセクタデータとを対応して示した図である。
【００７４】
ここで、実施例１のＣＤ−ＲＯＭ１を一般的なＣＤ−ＲＯＭドライブ１０に装着して、パソコンからの指令により再生動作を開始すると、光ピックアップ１５はＣＤ−ＲＯＭ１の内周側からリードイン領域１ａ，ＩＳＯファイル・システム領域１ｂ，アプリケーション・ソフト領域１ｃ，ユーザー・データ領域１ｄの順に読取りを行う。
【００７５】
この際、アプリケーション・ソフト領域１ｃには、図８に示した情報記録媒体の真贋判定プログラム５０と、図９に示した情報記録媒体のセクタ読取りプログラム７０とが少なくとも格納されている。
【００７６】
尚、以下の説明において、図８に示した情報記録媒体の真贋判定プログラム５０は、図９に示した情報記録媒体のセクタ読取りプログラム７０中の重複セクタアドレスサーチ動作を含ませた状態でディスクの真贋を判定しているものであるが、これに限定されるものでなく、ＣＤ−ＲＯＭ１上での重複セクタアドレス部位のうちで少なくとも１組の同じセクタアドレスと対応した１組のセクタデータ同士が互いに異なるか否かを判定できるプログラムならばいかなるものでも良いが、この実施例では図８に示したステップの場合について説明する。
【００７７】
また、ＣＤ−ＲＯＭ１上で重複セクタアドレス部位がディスク内周側，ディスク中周側，ディスク外周側など複数箇所間隔を離して配置されている場合には、真贋判定プログラム５０によりＮ（但しこの場合のＮは２以上の自然数とする）度目とＮ＋１度目の２箇所の重複セクタアドレス部位でディスクの真贋を判定して本物とあると判定した後に、セクタ読取りプログラム７０によりセクタ読み込みを行えば良い。
【００７８】
また、セクタ読取りプログラム７０を先に開始して複数のセクタを読み込み、この後、予め設定した所定の重複セクタアドレスの位置で真贋判定プログラム５０によりディスクの真贋を判定して本物とあると判定した後に、再びセクタ読取りプログラム７０で前の読み込み最終位置から引き続いて複数のセクタを読み込むことも可能である。
【００７９】
更に、真贋判定プログラム５０によりＣＤ−ＲＯＭ１が本物であると判定された場合に、このＣＤ−ＲＯＭ１をＣＤ−ＲＯＭドライブ１０から取り出すことなく再度再生する場合とか、本物であるディスク番号をＣＤ−ＲＯＭドライブ１０内で記憶してから一度外部に取り出して、この後ＣＤ−ＲＯＭドライブ１０に再装着した場合には、真贋判定プログラム５０を読み込むことなくセクタ読取りプログラム７０だけを読み込むことも可能である。
【００８０】
ここで、上記した真贋判定プログラム５０及びセクタ読取りプログラム７０では、ＣＤ−ＲＯＭ１に記録された複数のセクタアドレスが一部の箇所で重複している点が予めわかっているので、重複したセクタアドレスの情報に基づいて両プログラムが作成されているもである。そして、光ピックアップ１５でアプリケーション・ソフト領域１ｃに格納された真贋判定プログラム５０及び／又はセクタ読取りプログラム７０を読み込むと、情報信号処理回路１７を介して両プログラム５０，７０がコントローラ１１に伝達されるので、コントローラ１１は光ピックアップ粗動回路２０により光ピックアップ１５を目標のセクタアドレス近傍に移動した後に、トラッキングサーボ回路１９により光ピックアップ１５内の対物レンズ１５ｂでアドレスサーチしている。
【００８１】
この際、前述したようにパソコン内のハードディスクに記憶させたコピー用ソフトを用いてＣＤ−ＲＯＭ１をＣＤ−Ｒにコピーした時に、ＣＤ−ＲＯＭ１のアプリケーション・ソフト領域１ｃがＣＤ−Ｒに違法コピーされたとしても、ユーザー・データ領域１ｄの各セクタはセクタアドレス順でしかコピーできていないために、違法コピーしたアプリケーション・ソフト領域１ｃ内の真贋判定プログラム及びセクタ読取りプログラムを動作させたとしても、重複している各セクタアドレス及びこれと対応した各セクタデータを読み取れないことは先の説明から明白である。
【００８２】
まず、図８に示した情報記録媒体の真贋判定プログラム５０を用いて、ＣＤ−ＲＯＭ１の真贋を判定する場合には、領域Ｘ部，領域Ｙ部で一部重複した各セクタアドレスのうちで例えば予め設定した１組の重複したセクタアドレスｎ−２，ｎ−２に対応した１組のセクタデータ同士が同じであるか否かにより判定しており、本物のＣＤ−ＲＯＭ１では重複セクタアドレス部位に対応したセクタデータ同士は互いに異なっていることから判定できる。
【００８３】
即ち、図５，図８において、真贋判定プログラム５０の動作フローを開始すると、ステップＳ５１で光ピックアップ１５により領域Ｘ部内で予め指定したセクタアドレス  ｎ−２をサーチし、これに対応したセクタデータ  Ｘ−２を取得する。
【００８４】
次に、ステップＳ５２では、ステップＳ５１で取得したセクタデータ  Ｘ−２をコントローラ１１（図３）内に設けた第１メモリＭ１に格納する。
【００８５】
次に、ステップＳ５３では、領域Ｙ部を読み込まずに領域Ｘ部から領域Ｚ部のセクタアドレス  ｎ＋５へのサーチを行う。
【００８６】
次に、ステップＳ５４では、重複したセクタアドレスのうちで領域Ｘ部のセクタアドレス  ｎ−２に対して領域Ｙ部のセクタアドレス  ｎ−２を組みとして予め設定されているので、光ピックアップ１５は領域Ｚ部のセクタアドレス  ｎ＋５に至った位置から内周の領域Ｙ部に向かって移動し、領域Ｙ部で指定したセクタアドレス  ｎ−２をサーチし、これに対応したセクタデータ  Ｙ−２を取得する。
【００８７】
この際、真贋判定プログラム５０中では、領域Ｘ部，領域Ｙ部，領域Ｚ部に対して領域を指定せず、重複セクタアドレス値のみが指定されるので、コピーしたディスク（ＣＤ−Ｒ）の場合には領域Ｙ部が存在しないために、光ピックアップ１５は領域Ｘ部内で予め指定したセクタアドレス  ｎ−２を再度サーチする。
【００８８】
尚、上記したステップＳ５３〜Ｓ５４の動作は、セクタ読取りプログラム７０を利用しているものであり、このセクタ読取りプログラム７０の動作については図９，図１０を用いて後述する。
【００８９】
次に、ステップＳ５５では、ステップＳ５４で取得したセクタデータ  Ｙ−２をコントローラ１１（図３）内に設けた第２メモリＭ２に格納する。
【００９０】
次に、ステップＳ５６では、第１メモリＭ１に格納したセクタデータ  Ｘ−２と、第２メモリＭ２に格納したセクタデータ  Ｙ−２とをコントローラ１１（図３）内に設けた比較部（図示せず）で比較し、セクタデータ  Ｘ−２とセクタデータ  Ｙ−２とが互いに異なる場合（ＮＯの場合）にはステップＳ５７に移行し、一方、セクタデータ  Ｘ−２とセクタデータ  Ｙ−２とが同じ場合（ＹＥＳの場合）にはステップＳ５８に移行する。
【００９１】
次に、ステップＳ５７では、セクタデータ  Ｘ−２と、セクタデータ  Ｙ−２とが互いに異なるために、コントローラ１１（図３）内に設けた判定部（図示せず）でディスク（ＣＤ−ＲＯＭ１）が本物であると判定し、真贋判定プログラム５０の動作を終了する。即ち、領域Ｙ部が存在し、ディスクを本物と判定し、この後、必要に応じてセクタ読取りプログラムの開始を命令する。
【００９２】
一方、ステップＳ５８では、セクタデータ  Ｘ−２と、セクタデータ  Ｙ−２とが同じであるためために、コントローラ１１（図３）内に設けた判定部（図示せず）でコピーしたディスク（ＣＤ−Ｒ）であると判定し、真贋判定プログラム５０の動作フローを終了する。即ち、領域Ｙ部が存在していないためにディスクをコピー品と判定し、この後、必要に応じてＣＤ−ＲＯＭのアプリケーションソフトを再度スタートさせて、例えば、“このディスクは複製品のため再生できません”等の警告を出しても良い。
【００９３】
次に、光ピックアップ１５でＣＤ−ＲＯＭに記録された複数のセクタの各セクタデータを正規に読み取る際に、複数のセクタのうちでセクタアドレスが一部重複した部位を読み取る場合には、図９に示した情報記録媒体のセクタ読取りプログラム７０を用いて図１０に示したように、光ピックアップ１５でセクタアドレスが小さい領域Ｘ部を読み取った後に、領域Ｙ部を読み取ることなく、この領域Ｙ部よりもセクタアドレスが大きい領域Ｚ部内の所定のセクタアドレスをサーチして、この位置から内周側に向かってセクタアドレスが一部重複した領域Ｙ部に至り、この後、領域Ｙ部，領域Ｚ部を順に読み取っている。
【００９４】
即ち、図９，図１０において、セクタ読取りプログラム７０の動作フローを開始すると、ステップＳ７１で光ピックアップ１５を目標とするセクタアドレスより５〜１０セクタ手前に移動させる。
【００９５】
次に、ステップＳ７２では、領域Ｘ部内で所定のセクタアドレスサーチ／所定のセクタデータ取得を行う。この際、領域Ｘ部内でセクタアドレス範囲を予め設定しており、例えばセクタアドレス  ｎ−５からセクタアドレス  ｎまでに亘ってアドレスサーチとセクタデータ取得をデータ読取り順序（４−１）に従って順次行う。
【００９６】
次に、ステップＳ７３では、領域Ｘ部に続く領域Ｙ部を読み込まず、領域Ｙ部よりもセクタアドレスが大きい領域Ｚ部内の所定のセクタアドレスとして例えばセクタアドレス  ｎ＋５をサーチする。
【００９７】
次に、ステップＳ７４では、領域Ｚ部の所定のセクタアドレス位置（例えばセクタアドレス  ｎ＋５の位置）から次の目標となる領域Ｙ部の先頭セクタアドレス近傍を指定し、ここで指定したセクタアドレスとして例えばセクタアドレス  ｎ−４をデータ読取り順序（４−２）に沿ってアドレスサーチする。
【００９８】
次に、ステップＳ７５では、領域Ｙ部内で所定のセクタアドレスサーチ／所定のセクタデータ取得を行う。ここではステップＳ７４で指定した領域Ｙ部内のセクタアドレス  ｎ−４からセクタアドレス  ｎまでに亘ってアドレスサーチとセクタデータ取得をデータ読取り順序（４−３）に従って順次行う。この後、光ピックアップ１５は領域Ｙ部に続く領域Ｚ部内でアドレスサーチとセクタデータ取得を順次行う。
【００９９】
このように、セクタ読取りプログラム７０によるデータ読取り順序（４−１），（４−２），（４−３）の手順に従って、セクタアドレスが重複する部位では、Ｎ度目（但し、Ｎは自然数）に出現した重複セクタアドレス部位に対してセクタアドレスが小さい方からセクタデータを順に読取った後、Ｎ＋１度目に出現した重複セクタアドレス部位を読み取らず、読み取らなかった重複セクタアドレス部位よりもセクタアドレスが大きい方からＮ＋１度目に出現した重複セクタアドレス部位の先頭側に向かってサーチし、この後、Ｎ＋１度目に出現した重複セクタアドレス部位の先頭側からセクタアドレスが大きい方に向かってセクタデータを順に読取ることで、通常の方法では読取りができない重複するセクタアドレス部位のセクタデータを確実に読取ることができる。
【０１００】
この際、先に述べたように、重複するセクタアドレス部位のうちでＮ＋１度目に出現する重複セクタアドレス部位を少なくとも２つ以上連番にすることで、Ｎ＋１度目に出現する重複セクタアドレス部位の先頭側へのアドレスサーチが容易になるものの、Ｎ＋１度目に出現する領域Ｙ部の先頭付近のセクタアドレス  ｎ−４，ｎ−３は読取りが不安定なＣＤ−ＲＯＭドライブ１０もあるため、必要に応じてサーチ領域を設定すれば良い。
【０１０１】
更に、ＣＤ−ＲＯＭ１へのセクタ読取りに関し、一般的なＣＤ−ＲＯＭドライブ１０はセクタアドレスの番号の増加をチェックし、同じセクタアドレスが出現すると、同じセクタアドレスを無視して読取るものが普通であるが、ＣＤ−ＲＯＭドライブ１０によってはセクタアドレスの値をチェックせず、開始セクタアドレスから指定したセクタ数だけを出力するものがある。このようなＣＤ−ＲＯＭドライブ１０では、実施例１のＣＤ−ＲＯＭ１における重複セクタアドレス部位を検出される可能性がある。この対策として、領域Ｙ部内の重複セクタアドレス部位に対応したセクタデータ中にエラー訂正不能データを含ませている。例えば、領域Ｙ部の先頭側のセクタアドレス  ｎ−４を読取り不能のセクタに設定することで、セクタ読取り時にＣＤ−ＲＯＭドライブ１０内のキャッシュメモリ（図示せず）がリセットし、領域Ｙ部内での重複セクタアドレス部位の読取りを防ぐことができる。
【０１０２】
具体的には、領域Ｙ部の先頭側のセクタアドレス  ｎ−４を読取り不能セクタに設定するとは、たとえば、セクタデータが物理的又は論理的にエラー訂正不能のため読取りできない状態を言い、換言すると、領域Ｙ部内のセクタアドレス  ｎ−４に対応するセクタデータ  Ｙ−４をエラー訂正不能データにすれば良いものである。
【０１０３】
次に、実施例１のセクタ配列を一部変形させたＣＤ−ＲＯＭについて図１１を用いて簡略に説明する。
【０１０４】
図１１は実施例１を一部変形させたＣＤ−ＲＯＭにおけるセクタ配列を説明するための図である。
【０１０５】
図１１に示した実施例１の変形例では、先に図５で説明した実施例１のＣＤ−ＲＯＭ１中で領域Ｙ部のセクタ配列を一部変形させて領域Ｙ’部として形成したものであり、ディスク内周側から外周側に向かって領域Ｘ部，領域Ｙ’部，領域Ｚ部が順に設けられている。
【０１０６】
ここで、領域Ｘ部，領域Ｙ’部，領域Ｚ部のうちで領域Ｙ’部だけが図５に対して変形しており、この領域Ｙ’部は領域Ｘ部内のうちでアドレス値が大きい最終のセクタアドレス  ｎと同じセクタアドレス  ｎ，ｎ，ｎ，ｎ，ｎを５個続けて重複させて付与しており、且つ、重複したセクタアドレス  ｎ，ｎ，ｎ，ｎ，ｎと対応したセクタデータがＹ’１，  Ｙ’２，  Ｙ’３，  Ｙ’４，  Ｙ’５とそれぞれ異なる内容で記録されている。
【０１０７】
この際、前述したと同様に、領域Ｙ’部内の重複セクタアドレス部位に対応したセクタデータ中にエラー訂正不能データを含ませれば、実施例１と同様に、領域Ｙ’部内の重複セクタアドレス部位の読取りを防ぐことができる。
【０１０８】
また、重複するセクタアドレス部位をディスク内周側だけでなく、更に、ディスク中周側とか、ディスク外周側とかに分けて複数箇所間隔を離して設けた場合に、複数箇所の重複セクタアドレス部位はディスク内周側の重複セクタアドレス部位とは異なるセクタアドレス値を付与しておくことで、違法コピーがよりしにくくなる。
【０１０９】
ここで、領域Ｘ部に付与されたセクタアドレス  ｎをＮ（但し、Ｎは自然数）度目に出現した重複セクタアドレス部位とし、領域Ｙ’部に付与されたセクタアドレス  ｎをＮ＋１度目に出現した重複セクタアドレス部位とすると、上記の説明から領域Ｘ部及び領域Ｙ’部をディスク内周側に設定した場合に、領域Ｘ部内では例えばＮ＝１番目の重複セクタアドレス部位が出現し、領域’Ｙ部内で例えばＮ＝２番目の重複セクタアドレス部位が出現したことになる。
【０１１０】
この際、Ｎ度目に出現した重複セクタアドレス部位に対してＮ＋１度目に出現した重複セクタアドレス部位は、Ｎ度目の重複セクタアドレス部位のうちでアドレス値が大きい最終のセクタアドレスと同じセクタアドレスで少なくとも２つ以上続け、且つ、Ｎ度目の重複セクタアドレス部位とＮ＋１度目の重複セクタアドレス部位とが記録トラック上で連続するので、セクタ読取り時に重複したセクタアドレス部位が読取り易くなる。
【０１１１】
そして、この場合でもＣＤ−Ｒに違法コピーしても領域Ｙ’部は欠落されるので、ＣＤ−Ｒへの違法コピーを完全に防止でき、著作権侵害を未然に防止することができる。
【０１１２】
また、上記に伴って、真贋判定プログラムも一部変更する必要があり、この場合には、領域Ｘ部の最終のセクタアドレス  ｎと、領域Ｚ部側から領域Ｙ’部側に向かって重複したセクタアドレス  ｎとを予め指定し、この１組のセクタアドレスと対応した１組のセクタデータ同士が互いに異なるか否かを判定することで真贋の判定が可能となる。
【０１１３】
また、上記に伴って、セクタ読取りプログラムも一部変更する必要があり、この場合には先に図９を用いて説明したセクタ読取りプログラムのステップ中で、ステップＳ７４とステップＳ７５を変更すれば良く、ステップＳ７１〜ステップＳ７３はそのまま使えるので、ここではステップＳ７４，Ｓ７５に対する変更点だけを説明する。
【０１１４】
即ち、変更したステップＳ７４では、領域Ｚ部内の所定のセクタアドレスとして例えばセクタアドレス  ｎ＋５の位置から次の目標となる領域Ｙ’部の先頭セクタアドレス近傍を指定する時に、領域Ｚ部側から領域Ｙ’部側に向かって重複したセクタアドレスを指定し、データ読取り順序（５−２）に沿って領域Ｙ’部の先頭近傍のセクタアドレス  ｎをアドレスサーチすれば良い。
【０１１５】
更に、変更したステップＳ７５では、光ピックアップ１５により上記指定した領域Ｙ’部内の先頭近傍のセクタアドレス  ｎから同じ領域Ｙ’部内の最終のセクタアドレス  ｎまでに亘ってアドレスサーチとセクタデータ取得をデータ読取り順序（５−３）に従って順次行い、この後、領域Ｙ’部に続く領域Ｚ部内でアドレスサーチとセクタデータ取得を順次行えば良い。
【実施例２】
【０１１６】
図１２は本発明に係る実施例２を説明するための図であり、（ａ）は本発明に係る実施例２の情報記録媒体（ＣＤ−ＲＯＭ）の全体構成を示し、（ｂ）は着脱自在なリムーバブルメモリを示した図、
図１３は図１２（ｂ）に示したリムーバブルメモリをＣＤ−ＲＯＭドライブ内のコントローラに接続した状態を説明するための構成図である。
【０１１７】
図１２（ａ）に示した本発明に係る実施例２の情報記録媒体（ＣＤ−ＲＯＭ）２の全体構成は、先に図４を用いて説明した実施例１の情報記録媒体（ＣＤ−ＲＯＭ）１の全体構成と一部を除いて同様の構成であり、ここでは説明の便宜上、実施例１に対して異なる構成部材に新たな符号を付して、異なる点のみを説明する。
【０１１８】
図１２（ａ）に示した如く、本発明に係る実施例２の情報記録媒体（以下、ＣＤ−ＲＯＭと記す）２は、円盤状に形成したディスク基板の内周から外周に向かって、リードイン領域２ａと、ＩＳＯファイル・システム領域２ｂと、ユーザー・データ領域２ｃと、リードアウト領域２ｄとが螺旋状の記録トラックに沿って順に形成されている。
【０１１９】
ここでは、ＩＳＯファイル・システム領域２ｂとユーザー・データ領域２ｃとの間にアプリケーション・ソフト領域が設けられていない点が実施例１と異なる点であり、とくに、ユーザー・データ領域２ｃに記録される複数のセクタに対しては実施例１と全く同じ構造であり、セクタ配列も実施例１及び実施例１を一部変形させた変形例と全く同じである。
【０１２０】
上記に伴って、図８に示した情報記録媒体の真贋判定プログラム５０と、図９に示した情報記録媒体のセクタ読取りプログラム７０とを少なくとも格納するためのアプリケーション・ソフト領域は、図１２（ｂ）に示した如く、携帯可能で且つ後述するように改良したＣＤ−ＲＯＭドライバ３０に対して着脱自在なリムーバブルメモリ３内のアプリケーション・ソフト格納部３ａに設けられている。
上記したリムーバブルメモリ３は略カード状に形成され、ＩＣメモリなどによるアプリケーション・ソフト格納部３ａと、改良したＣＤ−ＲＯＭドライバ３０に電気的に接続するためのコネクタ部３ｂとで概略構成されており、必要に応じて保護用のカバー（図示せず）で保護されている。
【０１２１】
そして、図１３に示した如く、改良したＣＤ−ＲＯＭドライバ３０内のコントローラ１１にリムーバブルメモリ３を接続した場合には、アプリケーション・ソフト格納部３ａに格納した真贋判定プログラム５０（図８）と、セクタ読取りプログラム７０（図９）とがパソコンの指令により始動し、両プログラム５０，７０の動作ステップがコンローラ１１に送られるので、コンローラ１１は両プログラム５０，７０の動作ステップに従うように光ピックアップ１５を制御している。勿論、真贋判定プログラム５０（図８）を用いた真贋判定動作及びセクタ読取りプログラム７０（図９）を用いたセクタ読取り動作は実施例１と全く同じであるので、説明を省略する。
【０１２２】
尚、改良したＣＤ−ＲＯＭドライバ３０内のコントローラ１１にリムーバブルメモリ３を接続せずに、このコントローラ１１に真贋判定プログラム５０（図８）と、セクタ読取りプログラム７０（図９）とをインターネット回線３１を介して送り込む方法も可能である。
【０１２３】
〔実施例１，２の応用例〕
実施例１，２の応用例（１）は、図８に示した真贋判定プログラム５０を用いてＣＤ−ＲＯＭ１（又はＣＤ−ＲＯＭ２）の真贋を判定する際に、図８中のステップＳ５１で領域Ｘ部内のセクタアドレス  ｎ−２と対応したセクタデータ  Ｘ−２をセクタから取得せずに、このセクタデータ  Ｘ−２を事前にディスクの他の領域に予め記録しておき、このディスクの他の領域から光ピックアップ１５でセクタデータ  Ｘ−２を取り出して第１メモリＭ１に格納する以外は同じである。
【０１２４】
次に、実施例１，２の応用例（２）は、図８に示した真贋判定プログラム５０を用いてＣＤ−ＲＯＭ１（又はＣＤ−ＲＯＭ２）の真贋を判定する際に、上記した実施例１，２の応用例（１）を用い、且つ、図８中のステップＳ５４で領域Ｙ部内のセクタアドレス  ｎ−２と対応したセクタデータ  Ｙ−２に対して秘密鍵で予め暗号化して記録しておき、暗号化したセクタデータ  Ｙ−２を読み出して第２メモリＭ２に格納する。そして、上記した応用例（１）によりディスクの他の領域に予め記録されて第１メモリＭ１に格納されたセクタデータ  Ｘ−２は、第２メモリＭ２に格納された暗号化したセクタデータ  Ｙ−２と数学的、論理演算的に関連付けておく。この後、図８中のステップＳ５６でセクタデータ  Ｘ−２とセクタデータ  Ｙ−２を比較する際に数学的、論理演算的に関連付けた情報を基にして両者が同じであるか否かを比較すれば良い。この際、コピーしたディスク（ＣＤ−Ｒ）の場合には、この関連付けが一致できないため、違法コピーしたディスク（ＣＤ−Ｒ）であるとして処理できる。
【０１２５】
以上述べた実施例１、実施例１の変形例、実施例２、実施例１，２の応用例（１），（２）では、ＣＤ−ＲＯＭ１（又はＣＤ−ＲＯＭ２）に記録した複数のセクタの各セクタアドレスをサーチする手法を述べたが、ＣＤ−ＲＯＭ１（又はＣＤ−ＲＯＭ２）には、セクタアドレス以外にサブコードなるアドレスも存在する。これに伴って、サブコードの値をセクタアドレスと略同様に変化をさせるか、または独立して変化させるかは、ＣＤ−ＲＯＭドライブ１０の機能により変化するため、適用するＣＤ−ＲＯＭドライブ１０との関係で、本発明に係るＣＤ−ＲＯＭ１（又はＣＤ−ＲＯＭ２）に対してもセクタアドレスに代えてサブコードの値をセクタアドレスと略同様に変化をさせる方法も可能である。
【０１２６】
また、ＣＤ−ＲＯＭ１（又はＣＤ−ＲＯＭ２）におけるセクタ読取り動作において、領域Ｘ部と一部重複するセクタアドレスを持った領域Ｙ部（又は領域Ｙ’部）のセクタ読取り手法として、領域Ｘ部に続く領域Ｙ部（又は領域Ｙ’部）を読み込まず、領域Ｙ部（又は領域Ｙ’部）よりセクタアドレスが大きい領域Ｚ部内の所定のセクタアドレスをサーチした後に、この位置から内周側に向かってセクタアドレスが一部重複した領域Ｙ部（又は領域Ｙ’部）に至り、この後、領域Ｙ部（又は領域Ｙ’部），領域Ｚ部を順に読取る方法を開示したが、ＣＤ−ＲＯＭドライブ１０のハードを改造することによって、領域Ｘ部と領域Ｙ部（又は領域Ｙ’部）を連続的に読取りし、同一セクタアドレスの異なるセクタデータを得ることも可能である。しかし、これによる読取り方法は、本発明の応用例の範疇であることは言うまでもない。
【０１２７】
尚、上記した本発明に係る情報記録媒体はＣＤ−ＲＯＭについて説明したが、これに限ることなく、本発明の技術的思想をＤＶＤ−ＲＯＭとか、次世代の超高密度型の情報記録媒体にも適用することが可能である。
【図面の簡単な説明】
【０１２８】
【図１】再生専用型のＣＤ−ＲＯＭにおいて、代表的なフォーマットであるＭｏｄｅ１を適用した場合のセクタ構造を模式的に示した図である。
【図２】従来のＣＤ−ＲＯＭに記録した情報信号のセクタ配列を説明するための図であり、（ａ）はセクタ配列に沿って各セクタを読み取る順序を示し、（ｂ）は各セクタのセクタアドレスとセクタデータとを対応して示した図である。
【図３】一般的なＣＤ−ＲＯＭドライブを説明するための構成図である。
【図４】本発明に係る実施例１の情報記録媒体（ＣＤ−ＲＯＭ）の全体構成を示した図である。
【図５】本発明に係る実施例１の情報記録媒体（ＣＤ−ＲＯＭ）に記録した情報信号のセクタ配列を説明するための図であり、（ａ）はセクタ配列順を示し、（ｂ）は各セクタのセクタアドレスとセクタデータとを対応して示した図である。
【図６】本発明に係る実施例１の情報記録媒体（ＣＤ−ＲＯＭ）を違法コピーした時の動作を説明するための図であり、（ａ）はセクタ読取り動作を示し、（ｂ）はセクタ読取りを行った時の各セクタのセクタアドレスとセクタデータとを対応して示した図である。
【図７】本発明に係る実施例１の情報記録媒体（ＣＤ−ＲＯＭ）を違法コピーした後のＣＤ−Ｒ上でのセクタ配列を説明するための図であり、（ａ）はセクタ配列順を示し、（ｂ）は各セクタのセクタアドレスとセクタデータとを対応して示した図である。
【図８】本発明に係る実施例１の情報記録媒体（ＣＤ−ＲＯＭ）の真贋判定プログラムの動作を示したフロー図である。
【図９】本発明に係る実施例１の情報記録媒体（ＣＤ−ＲＯＭ）のセクタ読取りプログラムの動作を示したフロー図である。
【図１０】本発明に係る実施例１の情報記録媒体（ＣＤ−ＲＯＭ）を正規に再生した時の動作を説明するための図であり、（ａ）はセクタ読取り動作を示し、（ｂ）はセクタ読取りを行った時の各セクタのセクタアドレスとセクタデータとを対応して示した図である。
【図１１】実施例１を一部変形させたＣＤ−ＲＯＭにおけるセクタ配列を説明するための図である。
【図１２】本発明に係る実施例２を説明するための図であり、（ａ）は本発明に係る実施例２の情報記録媒体（ＣＤ−ＲＯＭ）の全体構成を示し、（ｂ）は着脱自在なリムーバブルメモリを示した図である。
【図１３】図１２（ｂ）に示したリムーバブルメモリをＣＤ−ＲＯＭドライブ内のコントローラに接続した状態を説明するための構成図である。
【符号の説明】
【０１２９】
１…実施例１のＣＤ−ＲＯＭ、
１ａ…リードイン領域、１ｂ…ＩＳＯファイル・システム領域、
１ｃ…アプリケーション・ソフト領域、１ｄ…ユーザー・データ領域、
１ｅ…リードアウト領域、
２…実施例２のＣＤ−ＲＯＭ、
２ａ…リードイン領域、２ｂ…ＩＳＯファイル・システム領域、
２ｃ…ユーザー・データ領域、２ｄ…リードアウト領域、
３…リムーバブルメモリ、３ａ…アプリケーション・ソフト格納部、
１０…ＣＤ−ＲＯＭドライブ、１１…コントローラ、
１２…スピンドルモータ駆動回路、１３…スピンドルモータ、
１４…ターンテーブル、１５…光ピックアップ、１６…ピックアップ支持台、
１７…情報信号処理回路、１８…フォーカスサーボ回路、
１９…トラッキングサーボ回路、２０…光ピックアップ粗動回路、
２１…インターフェース回路、
３０…改良したＣＤ−ＲＯＭドライブ、３１…インターネット回線。
【図１】
2005129230.tif 000003
【図２】
2005129230.tif 000004
【図３】
2005129230.tif 000005
【図４】
2005129230.tif 000006
【図５】
2005129230.tif 000007
【図６】
2005129230.tif 000008
【図７】
2005129230.tif 000009
【図８】
2005129230.tif 000010
【図９】
2005129230.tif 000011
【図１０】
2005129230.tif 000012
【図１１】
2005129230.tif 000013
【図１２】
2005129230.tif 000014
【図１３】
2005129230.tif 000015